(57)【要約】      （修正有）【課題】２本の箸体から成る箸のうち、少なくとも一方の箸体に楊枝を格納し得るようにした箸を提供する。【解決手段】２本の箸体のうち、少なくとも１本の箸体３を箸上部体３Ａと箸下部体３Ｂとを合体して成る構造のものとする。箸上部体３Ａには、その下端面から開けた第１凹部４を設ける。箸下部体３Ｂの上端面には筒部５を突出して設けると共に、該上端面から開けた第２凹部６を設ける。第１凹部４の深さと第２凹部６の深さとの合計は、楊枝７の長さより大とする。筒部５より楊枝７を入れ、筒部５に第１凹部４を嵌合させることにより、箸上部体３Ａと箸下部体３Ｂとを合体する。楊枝７を使いたい時は、箸上部体３Ａを引き抜いて楊枝７を取り出す。【選択図】図１
0003145550.tif 000002
【実用新案登録請求の範囲】
【請求項１】
２本の箸体から成る箸において、少なくとも１本の箸体が箸上部体と箸下部体とを合体して成る構造のものとされ、
該箸上部体には、その下端面に第１開口を有し、そこより掘り進められた第１凹部が設けられ、
前記箸下部体には、その上端面に第２開口を有し、そこより掘り進められた第２凹部が設けられると共に、該上端面より突出し、該第２開口と同じ大きさの開口を有する筒部が設けられ、
前記第１凹部と前記第２凹部との深さの合計は楊枝の長さより大となるようにされ、
前記第１凹部と前記筒部とを係合することにより前記箸上部体と前記箸下部体とが合体されるよう構成されている
ことを特徴とする箸。
【請求項２】
第１凹部と筒部との係合を、両者を嵌合することにより行うようにしたことを特徴とする請求項１記載の箸。
【請求項３】
箸上部体の下端面に平行な第１凹部の断面および箸下部体の上端面に平行な筒部外壁の断面を円形とし、
該第１凹部の内周面に雌ねじ構造を設けると共に該筒部の外周面に雄ねじ構造を設け、
該第１凹部と該筒部との係合を、両者を螺合することにより行うようにしたことを特徴とする請求項１記載の箸。
【請求項４】
箸上部体の下端面に第１の位置決め体を設けると共に、箸下部体の上端面に第２の位置決め体を設け、
前記第１の位置決め体と第２の位置決め体を合わせることにより、合体した箸上部体と箸下部体との外表面が滑らかにつながるようにした
ことを特徴とする請求項１，２または３記載の箸。
【請求項５】
箸上部体の下端周囲に第１の帯体を固着し、
箸下部体の上端周囲に第２の帯体を固着し、
前記第１の帯体に一端を接続し、前記第２の帯体に他端を接続した可撓性の連結体を設けた
ことを特徴とする請求項１，２，３または４記載の箸。
【請求項６】
可撓性の連結体として鎖を用いたことを特徴とする請求項５記載の箸。
【考案の詳細な説明】
【技術分野】
【０００１】
本考案は、２本の箸体から成る箸のうち、少なくとも一方の箸体に楊枝を格納し得るようにした箸に関するものである。
【背景技術】
【０００２】
一膳の箸は、古来より同じ形状，太さで同じ長さの２本の箸体から構成されている。箸体は、木とか竹とかを材料として作られているが、近年ではプラスチックを材料としても作られている。箸体の断面は円形あるいは角形とされ、先端に行くほど徐々に細くされている。
ところで日本では、食事をした後に楊枝を使用する人が多い。歯の隙間が開いて来たり、歯茎が細ってきたりしている年配者には特に多い。そこで、町の食堂やレストランのテーブルには、殆どと言っていいほど、楊枝が専用の容器に入れられて出されている。一般家庭でも、楊枝を専用の容器に入れ、食卓に置いているところも少なくない。
【特許文献１】実用新案登録第３１３８９５９号
【考案の開示】
【考案が解決しようとする課題】
【０００３】
レストラン等のように手近に楊枝が置いてある場所で食事をするときには、楊枝に困らないが、そうでない場所で食事をする際には、楊枝が手に入らず大変に困ることになる。そういうことがないようにするためには、どうしても専用の容器を用意し、それに楊枝を入れて箸とは別に携帯して行かねばならず、はなはだ不便であった。
本考案は、このような問題点を解決することを課題とするものである。
【課題を解決するための手段】
【０００４】
前記課題を解決するため、本考案では、２本の箸体から成る箸において、少なくとも１本の箸体が箸上部体と箸下部体とを合体して成る構造のものとされ、該箸上部体には、その下端面に第１開口を有し、そこより掘り進められた第１凹部が設けられ、該箸下部体には、その上端面に第２開口を有し、そこより掘り進められた第２凹部が設けられると共に、該上端面より突出し、該第２開口と同じ大きさの開口を有する筒部が設けられ、前記第１凹部と前記第２凹部との深さの合計は楊枝の長さより大となるようにされ、前記第１凹部と前記筒部とを係合することにより前記箸上部体と前記箸下部体とが合体されるような構成とした。
【０００５】
第１凹部と筒部との係合の具体的態様としては種々のものがあるが、例えば両者を嵌合することにより行うことが出来る。あるいは、箸上部体の下端面に平行な第１凹部の断面および箸下部体の上端面に平行な筒部外壁の断面を円形とし、該第１凹部の内周面に雌ねじ構造を設けると共に該筒部の外周面に雄ねじ構造を設け、該第１凹部と該筒部との係合を、両者を螺合することにより行うことも出来る。
また、前記したいろいろな箸において、箸上部体の下端面に第１の位置決め体を設けると共に、箸下部体の上端面に第２の位置決め体を設け、前記第１の位置決め体と第２の位置決め体を合わせることにより、合体した箸上部体と箸下部体との外表面が滑らかにつながるようにすることも出来る。
更に、前記したいろいろな箸において、箸上部体の下端周囲に第１の帯体を固着し、箸下部体の上端周囲に第２の帯体を固着し、前記第１の帯体に一端を接続し、前記第２の帯体に他端を接続した可撓性の連結体（例えば鎖）を設けることとしてもよい。
【考案の効果】
【０００６】
本考案の箸によれば、携帯する箸の中に楊枝が格納してあるので、食事用の用具として箸さえ忘れずに携帯して行けば、どのような場所においても、楊枝を使用することが可能となる。そのため、楊枝を専用の容器に入れて箸とは別個に携帯する必要がなくなり、極めて便利である。
また、箸上部体と箸下部体とを可撓性の連結体（例えば小さな鎖）で接続した構造としておけば、楊枝を使用する際に引き抜いた箸上部体を、床に落下させたり紛失したりすることがない。
【考案を実施するための最良の形態】
【０００７】
最近、資源を節約して環境に配慮しようという観点や、衛生面や趣味の面から、自分専用の箸（いわゆる「マイ箸」）を持ち歩いて使用することが、静かなブームとなっている。これは割箸と違って通常の箸であるから、楊枝など勿論付いていない。従って、食後に楊枝を使いたければ、楊枝を専用の容器に入れ、それを別途携帯して行かねばならず、やはり不便であった。
本考案の考案者は、食事の主たる用具である箸をマイ箸として携帯する人が増えていることに注目し、箸を携帯しさえすれば楊枝も自動的に携帯されるように出来ないかという観点に立ち、以下に述べるような構造の箸を考案するに至ったものである。
【０００８】
（第１の実施形態）
以下、本考案の実施形態を図面に基づいて詳細に説明する。
図１は、本考案の第１の実施形態の箸を示す図である。図１において、１は箸、２，３は箸体、３Ａは箸上部体、３Ｂは箸下部体、４は第１凹部、５は筒部、６は第２凹部、７は楊枝である。箸１は、２本の箸体、即ち箸体２と箸体３とで構成される。一方の箸体２は、従来のものと同じであり、木なら木、竹なら竹で一体に作られている。他方の箸体３は、箸上部体３Ａと箸下部体３Ｂとに分けられており、両者が合体されて箸体３を構成する。
なお、図１（１）は、箸体３が合体されていない状態の箸１を示し、図１（２）は合体された状態の箸体３を示している。
【０００９】
箸上部体３Ａには、第１凹部４が設けられる。第１凹部４は、箸上部体３Ａの下端面（箸下部体３Ｂに対向する面）に開口が位置するようにし、そこから箸上部体３Ａの上方（頭部）に向かって掘り進めることによって設けられる。
一方、箸下部体３Ｂには、箸下部体３Ｂの上端面（箸上部体３Ａと対向する面）に突出する筒部５が設けられる。筒部５の外形は、第１凹部４の内側にぴったり嵌合するサイズとされる。第２凹部６は、筒部５の内側の底部から、箸下部体３Ｂの下方（先端）に向かって掘り進めることによって設けられる。従って、筒部５の内側開口と第２凹部６の開口とは同じ大きさである。
【００１０】
楊枝７の格納は次のようにする。まず、楊枝７を筒部５から第２凹部６へ向かって入れる。入れることの出来る本数は、筒部５の内側の大きさによって決まる。次に、筒部５に第１凹部４を嵌め合わすことにより、箸上部体３Ａと箸下部体３Ｂとを合体する。第１凹部４と第２凹部６との深さの合計は、楊枝７の長さよりやや大となるようにする。その理由は次の通りである。
合体した状態で、楊枝７を格納するための空間の長さはどれ位かと言うと、それは、第１凹部４と第２凹部６の深さの合計である。なぜなら、筒部５に第１凹部４が嵌合されると、筒部５と第１凹部４とは重なり、筒部５の長さは第１凹部４の長さの中に含まれてしまうからである。
【００１１】
もし、第１凹部４と第２凹部６の深さの合計が楊枝７の長さより小であれば、箸上部体３Ａと箸下部体３Ｂとを合体しようとした時、中に入れた楊枝７が凹部の底につかえてしまい、ぴったりとは合体できない。ぴったり合体するようにするためには、第１凹部４と第２凹部６との深さの合計を、楊枝７の長さよりやや大にしておく必要がある。
図１に示した本考案の箸１は、上記のように構成された箸体３と、従来と同様の構造の箸体２とから成っている。このような箸１をマイ箸として携帯し、食事の後、楊枝７を使いたい場合には、箸上部体３Ａを引き抜いて、中に格納してある楊枝７を取り出して使うことが出来る。楊枝７を取り出した後、箸上部体３Ａは、元通りに箸下部体３Ｂと合体させておく。
【００１２】
図１では、箸１を構成する２本の箸体２，３のうち、箸体３のみを合体構造のものとしたものを示したが、２本とも合体構造のものとしても構わない。少なくとも１本が合体構造のものとしてあれば良い。
なお、図１では筒部５を円筒とし、第１凹部４，第２凹部６の断面を円形としているが、これらは角筒とし角形としても良い。
【００１３】
（第２の実施形態）
図２は、本考案の第２の実施形態の箸を示す図であり、合体構造の箸体３のみを示している。符号は図１のものに対応し、８は雌ねじ構造、９は雄ねじ構造である。
この実施形態では、第１凹部４の断面のうち、箸上部体３Ａの下端面に平行な断面を円形にすると共に、筒部５の断面のうち、箸下部体３Ｂの上端面に平行な筒部外壁の断面を円形にする。そして、第１凹部４の内周面には雌ねじ構造８を設け、筒部５の外周面にはそれと螺合する雄ねじ構造９を設ける。このようにして、第１凹部４と筒部５との係合を、雄ねじと雌ねじの螺合により行うようにしたものである。
【００１４】
（第３の実施形態）
図３は、本考案の第３の実施形態の箸を示す図であり、合体構造の箸体３のみを示している。符号は図１のものに対応し、１０は突起、１１は凹みである。図３（１）は箸体３の合体部分の斜視図を示し、図３（２）は箸上部体３Ａの側面図である。
突起９は、箸上部体３Ａの下端面の適宜位置に設けられる。凹み１１は、突起１０と係合する大きさの凹みであり、箸下部体３Ｂの上端面に設けられる。凹み１１の位置は、箸上部体３Ａと箸下部体３Ｂとの合体時に突起１０と係合させられた場合、箸上部体３Ａの外表面と箸下部体３Ｂの外表面とが滑らかにつながるような位置とされる。
【００１５】
言い換えれば、それぞれの外表面が滑らかにつながらず、ずれた状態で合体が行われると、箸を使用する際に、ずれた部分が手に引っ掛かかって使いづらくなるので、滑らかにつながるよう合体させるための位置決め体を設けたものである。図３では、箸上部体３Ａの側に設けた位置決め体を突起１０とし、箸下部体３Ｂの側に設けた位置決め体を凹み１１としているが、箸上部体３Ａの側に凹み１１を設けるという具合に逆に設けるようにしてもよい。
【００１６】
（第４の実施形態）
図４は、本考案の第４の実施形態の箸を示す図である。符号は図１のものに対応し、１２は第１帯金、１３は第２帯金、１４は鎖である。なお、箸体２は省略してある。
構造上、第１の実施形態と相違する点は、第１帯金１２，第２帯金１３および鎖１４を更に設けた点にある。第１帯金１２は、箸上部体３Ａの下端周囲に固着された金属帯であり、第２帯金１３は、箸下部体３Ｂの上端周囲に固着された金属帯である。第１帯金１２には鎖１４の一端が適宜の接続手段により接続されており、第２帯金１３には鎖１４の他端が適宜の接続手段により接続されている。
【００１７】
この実施形態は、第１の実施形態の箸１では、箸上部体３Ａを床に落下させたり紛失したりし易いので、それを防止するための構造を新たに付加したものである。
箸上部体３Ａは、楊枝７を取り出す際に箸上部体３Ａを引き抜いた時、うっかり手から放しても、箸下部体３Ｂと鎖１４でしっかりとつながれているから、床に落下させたり紛失したりすることがない。
【００１８】
なお、前述した例では、箸上部体３Ａと箸下部体３Ｂとを連結する部材として金属の鎖１４を用いたものを示したが、可撓性の材質であれば他の部材（例、紐）を用いるようにしてもよい。それに伴い、その連結部材の端部を箸上部体３Ａや箸下部体３Ｂに接続するための部材として、第１帯金１２や第２帯金１３の代わりに金属以外の帯体を用いることも可能である。
【図面の簡単な説明】
【００１９】
【図１】本考案の第１の実施形態の箸を示す図
【図２】本考案の第２の実施形態の箸を示す図
【図３】本考案の第３の実施形態の箸を示す図
【図４】本考案の第４の実施形態の箸を示す図
【符号の説明】
【００２０】
１…箸、２，３…箸体、３Ａ…箸上部体、３Ｂ…箸下部体、４…第１凹部、５…筒部、６…第２凹部、７…楊枝、８…雌ねじ構造、９…雄ねじ構造、１０…突起、１１…凹み、１２…第１帯金、１３…第２帯金、１４…鎖
【図１】
0003145550.tif 000003
【図２】
0003145550.tif 000004
【図３】
0003145550.tif 000005
【図４】
0003145550.tif 000006